(57)【要約】【課題】扉体の外面に風向き板を取り付けなくても、電気電子機器収納用箱に出入りする気体の方向を電気電子機器収納用箱の前後方向からずらすこと。【解決手段】電子機器を搭載する筐体本体１０と、筐体本体の開口を覆うことができるように回動自在である扉体２０と、を備えた電気電子機器収納用箱１であって、扉体を閉じた状態では、吸排気口２２を備えた扉体の表面２１の右端側と左端側が前後にずれて、筐体本体の幅方向に対して傾斜した状態となり、扉体の表面の右端側と左端側のうち、筐体本体までの距離が長い方には、扉体の表面と、筐体本体と、の間に上下方向に延びる側方被覆部５１が介在する構成とする。【選択図】図１
2020181881.tif 000002
【特許請求の範囲】
【請求項１】
電子機器を搭載する筐体本体と、
筐体本体の開口を覆うことができるように回動自在である扉体と、
を備えた電気電子機器収納用箱であって、
扉体を閉じた状態では、
吸排気口を備えた扉体の表面の右端側と左端側が前後にずれて、筐体本体の幅方向に対して傾斜した状態となり、
扉体の表面の右端側と左端側のうち、筐体本体までの距離が長い方には、扉体の表面と、筐体本体と、の間に上下方向に延びる側方被覆部が介在する電気電子機器収納用箱。
【請求項２】
扉体と別の部材で設けられた側方被覆部が、扉体の表面と筐体本体との間に着脱自在に取り付けられる請求項１に記載の電気電子機器収納用箱。
【請求項３】
側方被覆部は、
筐体本体側に、筐体本体への固定に用いられる筐体本体固定部を備え、
扉体側に、側方被覆部と扉体を連結可能な部位となる、鎖錠部、または、蝶番軸部を備えた請求項２に記載の電気電子機器収納用箱。
【請求項４】
側方被覆部を、筐体本体の内面側から固定するものとした請求項２又は３に記載の電気電子機器収納用箱。
【請求項５】
側方被覆部とは異なる方向に延びる被覆部が、扉体の表面の上端側と下端側で、扉体の表面と筐体本体との間に取り付けられる請求項１乃至４の何れかに記載の電気電子機器収納用箱。
【請求項６】
側方被覆部が筐体本体に回動自在に保持された請求項２から５の何れかに記載の電気電子機器収納用箱。
【請求項７】
扉体は、吸排気口が形成される表面の左右両端に折り曲げ片を備え、
対向する折り曲げ片のうち、一方の折り曲げ片を他方の折り曲げ片よりも長くすることで、一方の折り曲げ片が側方被覆部として機能するようにした請求項１に記載の電気電子機器収納用箱。
【発明の詳細な説明】
【技術分野】
【０００１】
本発明は、電気電子機器収納用箱に関するものである。
【背景技術】
【０００２】
特許文献１に記載されているように、サーバールーム等で使用されるサーバなどの情報機器を搭載した電気電子機器収納用箱の扉体に、冷気を導入したり、排気方向を変更したりすることができる風向き板を設けることが提案されている。
【先行技術文献】
【特許文献】
【０００３】
【特許文献１】特開２０１４−１２７６７３号公報
【０００４】
ところで、従来の技術では、筐体本体外部の表面に取付用のねじ穴を設けたりして別途加工が必要であった。また、扉体の通気孔を介して取り付けた場合には、何度も使用している間に表面に傷がつき錆が発生する虞があった。
【発明の概要】
【発明が解決しようとする課題】
【０００５】
本件の発明者は、この点について鋭意検討することにより、解決を試みた。本発明が解決しようとする課題は、扉体の外面に風向き板を取り付けなくても、電気電子機器収納用箱に出入りする気体の方向を電気電子機器収納用箱の前後方向からずらすことができるようにすることである。
【課題を解決するための手段】
【０００６】
上記課題を解決するため、電子機器を搭載する筐体本体と、筐体本体の開口を覆うことができるように回動自在である扉体と、を備えた電気電子機器収納用箱であって、扉体を閉じた状態では、吸排気口を備えた扉体の表面の右端側と左端側が前後にずれて、筐体本体の幅方向に対して傾斜した状態となり、扉体の表面の右端側と左端側のうち、筐体本体までの距離が長い方には、扉体の表面と、筐体本体と、の間に上下方向に延びる側方被覆部が介在する電気電子機器収納用箱
とする。
【０００７】
また、扉体と別の部材で設けられた側方被覆部が、扉体の表面と筐体本体との間に着脱自在に取り付けられる構成とすることが好ましい。
【０００８】
また、側方被覆部は、筐体本体側に、筐体本体への固定に用いられる筐体本体固定部を備え、扉体側に、側方被覆部と扉体を連結可能な部位となる、鎖錠部、または、蝶番軸部を備えた構成とすることが好ましい。
【０００９】
また、側方被覆部を、筐体本体の内面側から固定する構成とすることが好ましい。
【００１０】
また、側方被覆部とは異なる方向に延びる被覆部が、扉体の表面の上端側と下端側で、扉体の表面と筐体本体との間に取り付けられる構成とすることが好ましい。
【００１１】
また、側方被覆部が筐体本体に回動自在に保持された構成とすることが好ましい。
【００１２】
また、扉体は、吸排気口が形成される表面の左右両端に折り曲げ片を備え、対向する折り曲げ片のうち、一方の折り曲げ片を他方の折り曲げ片よりも長くすることで、一方の折り曲げ片が側方被覆部として機能するようにした構成とすることが好ましい。
【発明の効果】
【００１３】
本発明では、扉体の外面に風向き板を取り付けなくても、電気電子機器収納用箱に出入りする気体の方向を電気電子機器収納用箱の前後方向から角度を変え、吸排気の効率を向上させることが可能となる。
【図面の簡単な説明】
【００１４】
【図１】実施形態における電気電子機器収納用箱の斜視図である。ただし、吸排気口は一部だけを図示している。
【図２】図１に示す電気電子機器収納用箱の扉体を開いた状態を示す斜視図である。ただし、吸排気口は一部だけを図示している。
【図３】図２に示す電気電子機器収納用箱の上部の部分拡大図である。
【図４】図２に示す電気電子機器収納用箱の下部の部分拡大図である。
【図５】図２に示す電気電子機器収納用箱の分解斜視図である。
【図６】図２に示す電気電子機器収納用箱の上部の分解斜視図である。ただし、側方被覆部及び上部被覆部が筐体本体から分離している。
【図７】図１に示す電気電子機器収納用箱の扉体の開き方向を図２とは異なるものとした場合の斜視図である。
【図８】図２に示す電気電子機器収納用箱の上部の分解斜視図である。ただし、上部被覆部が筐体本体から分離している。
【図９】扉体の表面と側方被覆部と被覆部が一部材により構成された例の電気電子機器収納用箱の斜視図である。
【図１０】側方被覆部が筐体本体に回動自在に保持された電気電子機器収納用箱の上部の部分拡大図である。ただし、側方被覆部が扉体を支えることができる状態である。
【図１１】側方被覆部が筐体本体に回動自在に保持された電気電子機器収納用箱の上部の部分拡大図である。ただし、側方被覆部が扉体を支えることができない状態である。
【図１２】二列に並ぶように配置された電気電子機器収納用箱と冷却装置の関係を示す斜視図である。なお、冷却空気の流れを白抜き矢印で表している。
【図１３】二列に並ぶように配置された電気電子機器収納用箱と冷却装置の関係を図１２とは異なる方向から見た斜視図である。冷却空気の流れを白抜き矢印で表している。
【発明を実施するための形態】
【００１５】
以下に発明を実施するための形態を示す。図１及び図２に示されていることから理解されるように、本実施形態の電気電子機器収納用箱１は、電子機器を搭載する筐体本体１０と、筐体本体１０の開口１１を覆うことができるように回動自在である扉体２０と、を備えている。また、この電気電子機器収納用箱１は、扉体２０を閉じた状態では、吸排気口２２を備えた扉体２０の表面２１の右端側と左端側が前後にずれて、筐体本体１０の幅方向に対して傾斜した状態となる。また、扉体２０を閉じた状態では、扉体２０の表面２１の右端側と左端側のうち、筐体本体１０までの距離が長い方には、扉体２０の表面２１と、筐体本体１０と、の間に上下方向に延びる側方被覆部５１が介在する。このため、扉体２０の外面に風向き板を取り付けなくても、電気電子機器収納用箱１に出入りする気体の方向を電気電子機器収納用箱１の前後方向からずらすことが可能となる。
【００１６】
ここで、図１に示す例の電気電子機器収納用箱１について、説明する。この電気電子機器収納用箱１は、平面視で略長方形の筐体本体１０を備えており、この筐体本体１０の前方右端には、ハンドル２９を備えた扉体２０が回動可能に取り付けられている。また、この例では、扉体２０を閉じた状態では、扉体２０の表面２１の左端側が右端側より前側に位置するものである。
【００１７】
図１に示す扉体２０は、吸排気口２２がパンチングメタルを用いて構成されており、扉体２０の表面２１に直交する経路が設けられている。このため、従来技術のように扉体２０の表面２１が筐体本体１０の幅方向と平行となるように配置されていれば、電気電子機器収納用箱１に出入りする気体の方向が電気電子機器収納用箱１の前後方向となるが、本発明では、扉体２０の表面２１は筐体本体１０の幅方向に対して傾斜した状態となるため、気体が電気電子機器収納用箱１に出入りする方向を従来技術とは異なるようにすることができる。なお、図１に示す図では、左右方向が幅方向である。
【００１８】
また、扉体２０の表面２１に設けられた吸排気口２２から入ってきた冷却空気が、筐体本体１０を冷却することを促進できるように、扉体２０の表面２１の左端側には、扉体２０の表面２１と、筐体本体１０と、の間に、上下方向に延びる側方被覆部５１が介在するようにしている。
【００１９】
また、図２から図４に示すことから理解されるように、電気電子機器収納用箱１の上部と下部には、被覆部６１を備えており、筐体本体１０と扉体２０の表面２１の間に生じる上下方向の隙間を減少させている。このように、側方被覆部５１とは異なる方向に延びる被覆部６１が、扉体２０の表面２１の上端側と下端側で、扉体２０の表面２１と筐体本体１０との間に取り付けられるようにすると、扉体２０の表面２１に設けられた吸排気口２２から入ってきた冷却空気を外部に漏らすことなく筐体本体１０に導入することができるため、筐体本体１０の冷却を、より一層、効果的なものとすることができる。
【００２０】
ところで、図５に示すことから理解されるように、図１に示す例では、扉体２０と別の部材で側方被覆部５１と後述する側方被覆部固定金具５７が設けられている。扉体２０と別の部材で設けられた側方被覆部５１及び側方被覆部固定金具５７が、扉体２０の表面２１と筐体本体１０との間に着脱自在に取り付けられるようにすれば、この側方被覆部５１、側方被覆部固定金具５７を取り外すことにより、扉体２０が閉じた状態において、扉体２０の表面２１が筐体本体１０の幅方向と平行となるようにすることもでき、状況に合わせた選択をすることができる。また、この側方被覆部５１の幅が異なる形状を複数用意する場合には、扉体２０の角度を自在に変更させることも可能である。
【００２１】
なお、図５及び図６に示すことから理解されるように、この例では、断面視Ｕ字状の側方被覆部固定金具５７が側方被覆部５１と筐体本体１０との間に介在するようにしている。このように側方被覆部固定金具５７を用いると、筐体本体１０に設けられている取付孔の形状が側方被覆部５１を直接取り付けるには適さない場合であっても、側方被覆部５１を取り付けることが可能となる。図６に示す例では、側方被覆部固定金具５７には、扉体２０側に固定ねじ４１やドライバの先端などを通すことができる通過孔５８が設けられており、筐体本体１０に対してスムーズにねじ固定をすることができる。また、側方被覆部５１を側方被覆部固定金具５７に固定したときには通過孔５８が被覆されることになり、外側から固定ねじ４１を外すことが困難となっている。
【００２２】
側方被覆部５１を、筐体本体１０の内面側から固定するものとすれば、扉体２０を閉じた状態では、側方被覆部５１を着脱できないため、側方被覆部５１を着脱しようとする場合には、扉体２０を開かねばならないようになる。このため、扉体２０の開閉が制限されている者に対して、側方被覆部５１の取り外しを抑制させることができる。
【００２３】
図２に示す例の側方被覆部５１は、筐体本体１０側に、筐体本体１０への固定に用いられる筐体本体固定部５３を備えている。また、この側方被覆部５１の扉体２０側に、側方被覆部５１と扉体２０を連結可能な部位となる、鎖錠部８１を備えている。この鎖錠部８１の具体例としては、ロッド棒と係止可能なロッド棒係止部や、ハンドル２９のフックと係止可能なハンドルフック係止部などが挙げられる。図５に示す例では、側方被覆部５１の中央部付近にハンドルフック係止部が鎖錠部８１として設けられているとともに、側方被覆部５１の上下端側にロッド棒係止部が鎖錠部８１として設けられている。なお、扉体２０の開く向きによっては、側方被覆部５１の扉体２０側に、側方被覆部５１と扉体２０を連結可能な部位となる、蝶番軸部８２を設けても良い。なお、側方被覆部５１と扉体２０を連結可能な部位を鎖錠部８１とするのか蝶番軸部８２とするのかを選択可能な構成とすれば、扉の開く向きを選択することができる（図２及び図７参照）。
【００２４】
また、図１などに示す例では、図５及び図６に示すことから理解されるように、側方被覆部５１とは異なる方向に延びる被覆部６１が、扉体２０の表面２１の上端側と下端側で、扉体２０の表面２１と筐体本体１０との間に取り付けられるようにしている。図５に示す例では、被覆部６１は、水平方向に延びる部材である。この被覆部６１は、筐体本体１０の開口１１の一部に沿うように配置され、側方被覆部５１と被覆部６１を合わせることで略Ｕ字状の部位を構成している。なお、図１に示す例では、この被覆部６１及び側方被覆部５１は、ともに電気電子機器収納用箱１の外形を形成している。
【００２５】
図３及び図８に示す例から理解されるように、この例では、被覆部６１は、筐体本体取付部６３を用いて筐体本体１０の内面側に固定するものとしているため、扉体２０を閉じた状態では、取り外しが困難となる。特に、図８に示すことから理解されるように、筐体本体１０の内側に対して内側から被覆部６１をねじ固定すれば、筐体本体１０と被覆部６１は、外部から分離し難くすることができる。
【００２６】
また、この被覆部６１の側方被覆部固定部６７に側方被覆部５１が固定されているため、側方被覆部５１も、扉体２０を閉じた状態では、取り外しが困難となる。特に、図８に示すことから理解されるように、断面Ｕ字状に構成した側方被覆部５１のへこむ部分を電気電子機器収納用箱１の内側に向け、この側方被覆部５１の内側から被覆部６１に対してねじ固定すれば、側方被覆部５１と被覆部６１は、外部から分離し難くすることができる。なお、図３に示す例では、被覆部６１の扉体２０側には、扉体２０と当接可能な扉体当接面６５を備えている。
【００２７】
ところで、本発明の電気電子機器収納用箱１は、上記するような態様に限定する必要は無い。例えば、図９に示す例では、扉体２０は、吸排気口２２が形成される表面２１の左右両端に折り曲げ片を備えている。また、対向する折り曲げ片のうち、一方の折り曲げ片を他方の折り曲げ片よりも長くすることで、一方の折り曲げ片が側方被覆部５１として機能するようにしている。この場合、側方被覆部５１と扉体２０の表面２１を一つの部材により設けることができる。また、図９に示す例では、表面２１の上下両端に折り曲げ片を備えており、これらの折り曲げ片が被覆部６１として機能するようにしている。このため、側方被覆部５１と扉体２０の表面２１と被覆部６１を一つの部材により設けることができる。
【００２８】
また、図１０及び図１１に示すことから理解されるように、側方被覆部５１が筐体本体１０に回動自在に保持された構成としても良い。このように構成すれば、側方被覆部５１が不要な場合は、筐体本体１０の内側に収納させておくようにすることもできる。また、側方被覆部５１と被覆部６１は、別体ではなく、一体的に構成するものとしても良い。この場合であっても、断面Ｕ字状に構成した側方被覆部５１のへこむ部分を電気電子機器収納用箱１の内側に向け、この側方被覆部５１の内側から被覆部６１に対してねじ固定するような構成として扉体２０を閉じた状態では、側方被覆部５１などの取り外しが困難なものとするのが好ましい。
【００２９】
これらのような電気電子機器収納用箱１は、データセンターなどで、列をなすように複数配置することができるが、電気電子機器収納用箱１の並ぶ方向と冷却装置９１から送り出される冷却空気の方向が同様な場合であっても、扉体２０の表面２１は、冷却装置９１から送り出される冷却空気の方向と鋭角をなすようにすることができる。このため、扉体２０の表面２１に設けられた吸排気口２２から冷却空気を取り入れやすくなる（図１２及び図１３参照）。
【００３０】
なお、図１２及び図１３に示す例では、二列に並ぶ電気電子機器収納用箱１の全てにおいて、電気電子機器収納用箱１の右側に扉体２０の回動中心が設けられている。一方側の列の電気電子機器収納用箱１は、図２に示すような側方被覆部５１に対して鎖錠部８１が設けられており、他方側の列の電気電子機器収納用箱１は、図７に示すように、側方被覆部５１に対して蝶番軸部８２が設けられている。
【００３１】
以上、実施形態を例に挙げて本発明について説明してきたが、本発明は上記実施形態に限定されることはなく、各種の態様とすることが可能である。例えば、筐体本体と、側方被覆部と被覆部とが一体となるように構成するものであっても良い。この場合は、筐体本体の対向する側面の奥行きが異なるように設けられる。このため、通常、筐体本体と捉えられる部分は平面視で略台形の筐体本体となるが、ここでは平面視長方形の部分を筐体本体とする。
【符号の説明】
【００３２】
１  電気電子機器収納用箱
１０  筐体本体
１１  開口
２０  扉体
２１  扉体の表面
２２  吸排気口
５１  側方被覆部
５３  筐体本体固定部
６１  被覆部
【図１】
2020181881.tif 000003
【図２】
2020181881.tif 000004
【図３】
2020181881.tif 000005
【図４】
2020181881.tif 000006
【図５】
2020181881.tif 000007
【図６】
2020181881.tif 000008
【図７】
2020181881.tif 000009
【図８】
2020181881.tif 000010
【図９】
2020181881.tif 000011
【図１０】
2020181881.tif 000012
【図１１】
2020181881.tif 000013
【図１２】
2020181881.tif 000014
【図１３】
2020181881.tif 000015